(57)【要約】【課題】  目視検査あるいは自動検査において、非検査物の検査に最適な照明装置により誤りを生じない確実な検査に資する非検査物の映像情報を提供し得る映像情報収集装置を提供すること。【解決手段】  本発明の一実施態様に係る映像情報収集装置は、撮影対象の物品が載置される物品設置部と、前記物品設置部に載置された物品を撮影するための映像撮影部と、前記物品に対して間接光を放射する間接光作成部と、前記物品もしくは前記間接光作成部に対して光を供給する照明部と、前記映像撮影部による撮影と、前記間接光作成部における前記間接光の放射と、前記照明部における前記光の供給とを制御する制御部とを具備して構成される。【選択図】図１
2020202508.tif 000002
【特許請求の範囲】
【請求項１】
撮影対象の物品が載置される物品設置部と、
前記物品設置部に載置された物品を撮影するための映像撮影部と、
前記物品に対して間接光を放射する間接光作成部と、
前記物品もしくは前記間接光作成部に対して光を供給する照明部と、
前記映像撮影部による撮影と、前記間接光作成部における前記間接光の放射と、前記照明部における前記光の供給とを制御する制御部と
を具備することを特徴とする映像情報収集装置。
【請求項２】
前記映像撮影部は、通常可視光カメラ、通常可視光ＴＶカメラ、フラッシュ同調カメラ、赤外線カメラ、立体カメラのうち少なくとも一つを備えることを特徴とする請求項１記載の映像情報収集装置。
【請求項３】
前記制御部は、コントローラと、表示器と、操作部と、記憶装置と、送受信部とを備えて構成されることを特徴とする請求項１もしくは２記載の映像情報収集装置。
【請求項４】
前記間接光作成部は、間接光作成用反射板の角度を変化できる構造を有することを特徴とする請求項１乃至３のうちいずれか１項記載の映像情報収集装置。
【請求項５】
前記照明部は、発光ダイオード照明器、赤外線照明器、白熱光照明器、紫外線照明器の少なくともいずれか一つを備えて構成されることを特徴とする請求項１乃至４のうちいずれか１項記載の映像情報収集装置。
【請求項６】
前記発光ダイオード照明器、前記赤外線照明器、前記白熱光照明器、前記紫外線照明器の少なくともいずれか一つは、設置位置及び／もしくは設置角度が可変であることを特徴とする請求項４記載の映像情報収集装置。
【請求項７】
前記物品設置部は、物品設置位置と設置角度が可変であることを特徴とする請求項１乃至６のうちいずれか１項記載の映像情報収集装置。
【請求項８】
前記物品設置部の設置床面が取り換え可能あるいは及び移動可能であることを特徴とする請求項１乃至７のうちいずれか１項記載の映像情報収集装置。
【請求項９】
前記物品設置部、前記映像撮影部、前記間接光作成部、前記照明部を収容する筺体部をさらに具備し、
前記物品設置部、前記映像撮影部、前記間接光作成部、前記照明部は、前記筺体部に差し込み式に設置される構造であることを特徴とする請求項１乃至８のうちいずれか１項記載の映像情報収集装置。
【請求項１０】
前記物品設置部の前記物品が載置される対象物設置床面が下方より照明される構造であることを特徴とする請求項１乃至９のうちいずれか１項記載の映像情報収集装置。
【請求項１１】
前記物品設置部の温度と、湿度と、気圧とのうちいずれか一つ以上を変化できる構成であることを特徴とする請求項１乃至１０のうちいずれか１項記載の映像情報収集装置。
【請求項１２】
前記物品設置部に載置される前記物品に加振或いは送風のいずれか一つ、或いは両方を印加できることを特徴とする請求項１乃至１１のうちいずれか１項記載の映像情報収集装置。
【発明の詳細な説明】
【技術分野】
【０００１】
本発明はたとえば映像情報収集装置に係り、特に使用目的に最適な形態で物品の映像情報を収集することの可能な映像情報収集装置に関する。
【背景技術】
【０００２】
従来、物品の外観検査を行う場合には、検査者が長年の経験を生かして目視検査を行ってきた。近年、検査の自動化のため物品を撮影装置で撮影し、映像によって検査を行うことが多い。しかし、物品の映像をそのまま撮影しただけでは物品の瑕疵箇所が分かり辛いことが多く、物品の検査箇所や瑕疵箇所が判別／判定しやすくなるための照明が重要である。同じく、検査箇所や瑕疵箇所が分かりやすく、且つ発見しやすい検査対象物の位置や角度の設定も重要である。また、検査ばかりでなく物品の広告写真を撮影する場合には、その物品が最も魅力的にかつ特徴を際立たせて見えるようにするための照明や撮影方向や撮影角度が重要となる。
【０００３】
一方、工場の生産や管理現場では、様々な製品の状態を把握するため日々の製品の仕上がり状態を記録したり、見た目だけでは判断しにくい製品の寸法計測を行ったり、それらを記録に残したいという要望があり、それぞれの用途に応じた最適な撮影装置、照明、対象製品の設置位置や角度などの撮影手法が必要である。
【０００４】
特許文献１においては（特開２０１５−９４６４４号公報）、集荷された卵を検査する技術として、従来行われていた目視検査方式に代えて、画像処理方式による検査技術を開示している。即ち、外光を斜行したケーシング中の検査対象の卵に拡散光を放射して撮影を行い、撮影した画像の印影パターンの輝度分布により対象卵の良否を判断するとする技術思想である。
【０００５】
従来の目視検査に比べて経験を必要とせず、人的なミスを防ぐことができ、自動検査が可能となる技術であるが、卵の検査のみに特化した映像利用技術であり汎用応用についての言及はされていない。
【先行技術文献】
【特許文献】
【０００６】
【特許文献１】特開２０１５−９４６４４号公報
【発明の概要】
【発明が解決しようとする課題】
【０００７】
上記のように、従来製造現場で製品検査を行う場合や、仕上がり検査をする場合には経験者の長年の勘に頼る所が多かった。このため、検査に長時間かかる上に人的ミスを生じることがあるという問題点があった。また、過去の検査結果との比較が容易ではないという問題点もあった。
【０００８】
さらに、従来広告のための商品撮影や、カタログ用の商品撮影では商品が最も魅力的に見えるようカメラマンの経験や勘によって最適照明等の撮影状況を設定していたため撮影効率を上げることが難しかった。
【０００９】
本発明は、こうした従来技術上の問題点を解決することを企図したものであり、目視検査あるいは自動検査において、非検査物の検査に最適な照明装置により誤りを生じない確実な検査に資する非検査物の映像情報を提供し得る映像情報収集装置を提供すること、及びカメラマンの腕に頼ることなく最適な撮影状況を再現できる映像情報収集装置を提供することを目的とする。
【課題を解決するための手段】
【００１０】
かかる課題を解決するため、本発明に係る映像情報収集装置の第１の態様は、撮影対象の物品が載置される物品設置部と、前記物品設置部に載置された物品を撮影するための映像撮影部と、前記物品に対して間接光を放射する間接光作成部と、前記物品もしくは前記間接光作成部に対して光を供給する照明部と、前記映像撮影部による撮影と、前記間接光作成部における前記間接光の放射と、前記照明部における前記光の供給とを制御する制御部とを具備する。
【００１１】
本発明に係る映像情報収集装置の第２の態様は、第１の態様において、前記映像撮影部は、通常可視光カメラ、通常可視光ＴＶカメラ、フラッシュ同調カメラ、赤外線カメラ、立体カメラのうち少なくとも一つを備える。
【００１２】
本発明に係る映像情報収集装置の第３の態様は、第１もしくは第２の態様において、前記制御部は、コントローラと、表示器と、操作部と、記憶装置と、送受信部とを備えて構成される。
【００１３】
本発明に係る映像情報収集装置の第４の態様は、第１〜第３の態様のいずれかの態様において、前記間接光作成部は、間接光作成用反射板の角度を変化できる構造を有する。
【００１４】
本発明に係る映像情報収集装置の第５の態様は、第１〜第４の態様のいずれかの態様において、前記照明部は、発光ダイオード照明器、赤外線照明器、白熱光照明器、紫外線照明器の少なくともいずれか一つを備えて構成される。
【００１５】
本発明に係る映像情報収集装置の第６の態様は、第４の態様において、前記発光ダイオード照明器、前記赤外線照明器、前記白熱光照明器、前記紫外線照明器の少なくともいずれか一つは、設置位置及び／もしくは設置角度が可変である。
【００１６】
本発明に係る映像情報収集装置の第７の態様は、第１〜第６の態様のいずれかの態様において、前記物品設置部は、物品設置位置と設置角度が可変である。
【００１７】
本発明に係る映像情報収集装置の第８の態様は、第１〜第７の態様のいずれかの態様において、前記物品設置部の設置床面が取り換え可能あるいは及び移動可能である。
【００１８】
本発明に係る映像情報収集装置の第９の態様は、第１〜第８の態様のいずれかの態様において、前記物品設置部、前記映像撮影部、前記間接光作成部、前記照明部を収容する筺体部をさらに具備し、前記物品設置部、前記映像撮影部、前記間接光作成部、前記照明部は、前記筺体部に差し込み式に設置される構造である。
【００１９】
本発明に係る映像情報収集装置の第１０の態様は、第１〜第９の態様のいずれかの態様において、前記物品設置部の前記物品が載置される対象物設置床面が下方より照明される構造である。
【００２０】
本発明に係る映像情報収集装置の第１１の態様は、第１〜第１０の態様のいずれかの態様において、前記物品設置部の温度と、湿度と、気圧とのうちいずれか一つ以上を変化できる構成である。
【００２１】
本発明に係る映像情報収集装置の第１２の態様は、第１〜第１１の態様のいずれかの態様において、前記物品設置部に載置される前記物品に加振或いは送風のいずれか一つ、或いは両方を印加できる。
【発明の効果】
【００２２】
本発明によれば、検査すべき物品の映像情報を用いて検査を進めることが可能となり、検査精度の向上とともに検査ミスを格段に減少することができる。更には、映像情報による自動検査が可能となり、映像情報履歴による検査の推移の検討により検査精度向上や新しい検査手法の開発にも資することができるという効果を生ずる。      
【００２３】
また、従来カメラマンの経験や勘に頼っていた撮影手法を容易に再現することができ、同種製品の広告映像撮影の作業性を格段に向上させつつ経済効率も向上させることができるという効果を生ずる。
【図面の簡単な説明】
【００２４】
【図１】本発明の一実施形態に係る映像情報収集装置の概略図である。
【図２】本発明の一実施形態に係る映像情報収集装置のブロック図である。
【図３】本発明の一実施形態に係る制御部のブロック図である。
【図４】本発明の一実施形態に係る筐体部の構造図である。
【図５】本発明の一実施形態に係る筐体部の透視概略図である。
【図６】本発明の一実施形態に係る間接光作成部の概略図である。
【図７】本発明の一実施形態に係る照明部の概略図である。
【図８】本発明の一実施形態に係る物品設置部の概略図である。
【図９】本発明の一実施形態に係る映像情報収集装置を搬送システムに応用した概略である。
【発明を実施するための形態】
【００２５】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００２６】
図１は、本発明の一実施形態に係る映像情報収集装置（通称ライトハウジング）１の全体イメージを示した概念図である。図2は、同じく本発明の一実施形態に係る映像情報収集装置のブロックダイヤグラムである。同両図に示されるように、本発明の一実施形態に係る映像情報収集装置１は、映像撮影部３と、間接光作成部４と、照明部５と、物品設置部６と、を収容する筐体部２と、映像撮影部３からの映像データにより上記４つの部：映像撮影部３；間接光作成部４；照明部５；物品設置部６、を制御する制御部７と、を備えて構成される。
【００２７】
図３は、本発明の一実施形態に係る制御部７のブロック図である。同図に示されるように、制御部７は、μＣＰＵを主体とするコントローラ７１と、主として映像情報を表示する表示器７２と、操作部７３と、記録部７４と、Ｗｉ−Ｆｉ等と接続する無線送受信部７５と、ＵＳＢ端子等の有線接続部７６とを備えて構成され、通常のパーソナルコンピュータ（以下、「ＰＣ」と省略）と同等機能を有するものである。
【００２８】
図４は、本発明の一実施形態に係る筐体部２の構造の一例を示す図である。筐体部２の内側側面１０は多段のスリット構造１１として、間接光作成部４、照明部５、物品設置部６それぞれの基板１２が差し込み設置されることができる。図４においてはスリット構造を１例として説明したが、多段の棚構造等、各種の多段差し込み構造が考えられるが、それ等は全て本発明の技術思想の一部であり本願に内包するものである。なお、映像撮影部３、間接光作成部４、照明部５、物品設置部６、及び制御部７の接続部８については図示を省略しているが、各部基板の後端にコネクターを付して、各部基板が筐体に差し込まれると自動的に制御部７に接続するようにしても良く、筐体裏面から接続ケーブルによって各部基板に接続するようにしても良い。
【００２９】
図５は、本発明の一実施形態に係る筐体部２内部に各構成部を設置した概略透視図である。映像撮影部３は、２軸角度変更と昇降を調整する昇降台３１に、カメラの様な撮影装置３２が取り付けられており、映像撮影部３の下面に開けられた開口部３３を通して、筐体２最下部の物品設置部６に設置された物品６１を撮影することができる。撮影装置３２で取得した映像情報は制御部７に送られる。撮影装置３２及び昇降台３２の調整は手動で行えることはもちろん、制御部７からの信号によって例えばモーター駆動で行うこともできる。
【００３０】
図６は、本発明の一実施形態に係る間接光作成部４の概略斜視図である。筐体２の内側側面に沿って挿入可能な外形の基板４５上に略円弧に成形された反射板４１が設置されており、基板４５に開けられた開口部４３から入射する照明部からの入射光を反射して間接光として開口部４３から放射する。
【００３１】
反射板４１の円弧頂部には撮影のための開口部４２が開けられており、開口部４２と基板４５の開口部４３とを通して物品の撮影が行われる。反射板４１の円弧状の傾きは可変とし、手動で調整することはもちろん、制御部７からの制御信号により既存技術であるモーター駆動で調整することも可能である。
【００３２】
図７は、本発明の一実施形態に係る照明部の概略図であり、その（Ａ）、（Ｄ）はその概念的斜視図を、（Ｂ）、（Ｃ）は側面図を、それぞれ表す。より具体的には、図７（Ａ）は、間接光作成部４と同じく、筐体２の内側側面に沿って挿入可能な外形の基板５５に開けられた開口部５２の左右に、長方形のＬＥＤ 照明器５１が両端を支持金具５３により角度可変状態で支持されている状態を示している。ＬＥＤ照明器５１の発光面５４を図７（Ｂ）に示されるように上方を向ければ、間接光作成部基板４５の開口部４３を通して反射板４１によって反射され、間接光として開口部４３及び開口部５２を通して物品設置部６の物品６１を間接光照明することができ、商品宣伝用や影を生じない表面検査用の映像撮影には最適である。
【００３３】
一方、図７（Ｃ）のごとくＬＥＤ照明器５１の発光面５４を下方に向ければ、開口部５２を通して物品設置部６の物品６１を直接照明することができる。これにより、物品映像の陰影を強調して物品の傷やピンホールを発見しやすい映像情報を収集することができる。図７（Ｄ）は、ＬＥＤ照明器５１を開口部５２の前後に設置した例である。説明を容易にするために図７（Ａ）と図７（Ｄ）とを別々に説明したが、ＬＥＤ照明器を前後左右に同時に設置しても良いし、図７（Ａ）と図７（Ｄ）とを図５に示すように、それぞれ段差を付けて設置しても良い。
【００３４】
なお、ＬＥＤ照明器５１の発光面５４方向調整は手動でも良く、制御部７からの制御信号により自動的に行っても良いのは前述の説明と同様である。また、照明器５１としてＬＥＤ照明器を例にとって説明したが、前述のように白熱電球照明器、赤外線照明器、紫外線照明器等を用いても良く、更にはそれ等の組合せにより映像への使用目的によって最適な照明器を用いることができる。上記では直線状の照明器を例に挙げて説明したが、開口部を囲む円形状の照明器を用いることもできる。
【００３５】
図８は、本発明の一実施形態に係る物品設置部６の一例を示す概略図である。物品設置部の第１基台６物品の位置を変えるための回転ターンテーブル６１とターンテーブル６１の傾きを変更できるような第２基台６２とが設けられている。このような構成により、物品の様々な方向の映像を撮影することができる。ターンテーブル６１の回転位置や第２基台６２の角度を手動あるいは制御部からの制御信号により変更することができる。また、物品設置部６の第１基台に振動を加えたり、加熱する等物品にストレスを与えた状態で物品の映像情報を収集することも可能である。
【００３６】
以上説明してきたように、各開口部を通して最下段の物品設置部に設置された物品の映像を撮影することができる。撮影された映像情報（映像そのもの）はもちろんのこと、撮影時のカメラの条件（種別、レンズ焦点、絞り、シャッタ速度等）、間接光・直接光の種別、反射板角度、照明器種別、照明器個数、照明器角度、物品位置、物品角度等のデータを制御部７の記録部７５に記録しておくことができる。
【００３７】
例えば、記録された基準の物品の上記データと被検査物品のデータとを制御部で比較することにより被検査物品の検査を行うことができる。あるいは、基準物品のデータと被検査部品のデータ外部に送出し、外部の情報処理システムにより被検査物品の検査結果、合否、不具合箇所の検出等を行うこともできる。
【００３８】
以上説明してきたように、本発明の一実施形態に係る映像情報収集装置によれば、対象物品の映像情報を使用目的に最適な条件で撮影することができ、その映像情報を有線接続部及び無線送受信部によってリアルタイムで外部に送出をすることもでき、同時に記録部に記録された映像情報を記録媒体としてオフラインでも活用することができる。
【００３９】
図９は、更に本発明の一実施形態に係る映像情報収集装置をベルトコンベア９３搬送システムに応用した場合の概略図である。ベルトコンベア９３上に本発明の一実施形態に係る映像情報取集システム１の筐体部を設置し、物品設置部６の位置がベルトコンベア９３となり、搬送されてくる物品９４の映像を撮影する。
【００４０】
本発明の一実施形態に係る映像情報収集装置の制御部を介してベルトコンベア搬送システムと連接させれば、奔走されてくる物品の自動検査を行い、ただちに不良物品の除去を行うことも可能となる。
【００４１】
なお、本発明は上述した実施形態に限定されるものではなく、本発明の主旨を逸脱しない範囲内で種々変更して実施することが可能である。これらはすべて、本技術思想の一部であり本願に内包するものである。
【産業上の利用可能性】
【００４２】
上述したように、本願に係る発明によれば、手間と経験を要する撮影装置の設定や照明装置の設定、被撮影物品の設定を、筐体中で一連の作業として行えるため格段の効率化がはかれる。また、物品の映像情報を過去の映像情報と比較したり、同じく記録された基準品の映像情報と比較することにより、従来目視検査に頼っていた検査作業を自動化することも可能となる。
【００４３】
更には、プロカメラマンの経験と感性に頼っていた広告写真のような特殊な芸術性を要求される映像情報を、本発明の映像情報収集装置の記録機能や比較機能を用いることにより容易に再現することができる。
【００４４】
以上説明したように、本発明は、商品検査や、特殊撮影等映像情報を取得するあらゆる用途に対して利用・適用可能である。よって、本願は、建設土木業に限定せず、製造業等あらゆる産業に対して大きな有益性をもたらすものである。
【符号の説明】
【００４５】
１：映像情報収集装置、
２：筐体、
３：映像撮影部、
４：間接光作成部、
５：照明部
６：物品設置部、
７：制御部、
８：接続部
１０：内部側面
１１：スリット構造
１２：基板
３１：昇降台
３２：撮影装置
３３：開口部
４１：反射板
４２：開口部
４３：開口部
４４：可動範囲
４５：基板
５１：照明器
５２：開口部
５３：支持金具
５４：発光面
５５：基板
６０：第１基板
６１：ターンテーブル
６２：第２基板
６３：可動範囲
７１：コントローラ
７２：指示器
７３：操作部
７４：記録部
７５：送受信部
７６：有線接続部
９１：映像情報収集装置筐体部
９２：制御部
９３：搬送装置
９４：物品
【図１】
2020202508.tif 000003
【図２】
2020202508.tif 000004
【図３】
2020202508.tif 000005
【図４】
2020202508.tif 000006
【図５】
2020202508.tif 000007
【図６】
2020202508.tif 000008
【図７】
2020202508.tif 000009
【図８】
2020202508.tif 000010
【図９】
2020202508.tif 000011